(57)【要約】      （修正有）【課題】構造が単純で安価に製造でき、どんな場所にでも固定することができるカレンダー用紙取付具とワンタッチで順に送るだけで３か月分のカレンダーを見ることができる順送りカレンダーを提供する。【解決手段】順送りカレンダー３は、本体杆とカレンダー用紙取付杆と壁面取付手段９とを備えるカレンダー用紙取付具１と、上半期カレンダー用紙２１と下半期カレンダー用紙とからなるリング状のカレンダー用紙２５と、を備え、月が変わる度に該カレンダー用紙２５をワンタッチで順送りして使用する。【選択図】図９
0003223686.tif 000002
【実用新案登録請求の範囲】
【請求項１】
本体杆とカレンダー用紙取付杆と壁面取付手段とを備えるカレンダー用紙取付具において、
該本体杆の一端部又は両端部は、該カレンダー用紙取付杆の係止手段または着脱手段を配設し、
該カレンダー用紙取付杆は、カレンダー用紙を係止する機能を備え、
該本体杆の一端が該係止手段または該着脱手段を備えない場合は、該本体杆における該係止手段または該着脱手段を備えない一端と該カレンダー用紙取付杆の一端とは回動自在に配設され、
該壁面取付手段は、該本体杆に配設され、該カレンダー用紙取付具を壁面に取り付けるための機能を備える
ことを特徴とするカレンダー用紙取付具。
【請求項２】
前記本体杆及び前記カレンダー用紙取付杆は伸縮自在であって、
該本体杆は、第一筒状体と２本の支持杆とで構成され、
該第一筒状体は略直線状であり、
該２本の支持杆は、略Ｌ字型であり、
該各支持杆において、前記カレンダー用紙取付杆の係止手段又は着脱手段が配設されていない端部、又は該カレンダー用紙取付杆の一端が配設されていない端部は、該第一筒状体の両端にそれぞれ摺嵌され、
該カレンダー用紙取付杆は、第二筒状体と２本の伸縮用杆とで構成され、
該第二筒状体は略直線状であり、
該２本の伸縮用杆は略直線状であって、
該伸縮用杆の一方の端部は、該第二筒状体の両端にそれぞれ摺嵌される
ことを特徴とする請求項１記載のカレンダー用紙取付具。
【請求項３】
請求項１又は請求項２におけるカレンダー用紙取付杆にカレンダー用紙が配設される順送りカレンダーにおいて、
該カレンダー用紙は、上半期カレンダー用紙と下半期カレンダー用紙とからなり、
該上半期カレンダー用紙は、１月から６月までの月別カレンダーが昇順に記載された長尺用紙の短辺同士を接着してリング状にしたものであって、
該下半期カレンダー用紙は、７月から１２月までの月別カレンダーが昇順に記載された長尺用紙の短辺同士を接着してリング状にしたものであって、
該下半期カレンダー用紙のリング径は、該上半期カレンダー用紙のリング径より僅かに小さく、
該上半期カレンダー用紙の内側に該下半期カレンダー用紙を重ねて配設する
ことを特徴とする順送りカレンダー。
【考案の詳細な説明】
【技術分野】
【０００１】
本考案は、リング状のカレンダー用紙を取り付けて使用するカレンダー用紙取付具と該カレンダー用紙取付具にリング状のカレンダー用紙を取り付けた順送りカレンダーに関する。
【背景技術】
【０００２】
従来から、３か月分のカレンダーを見ることができるようにするために、病院の受付や職場などにおいて、月めくりカレンダーを一枚ずつはがし、３か月分を縦に並べて壁に貼っている光景がしばしば見かけられる。この場合、月が変わるたびに、過ぎた月のカレンダーを壁からはがして、張り直すなどの手間がかかるという問題点がある。
【０００３】
そのため、例えば、特許文献１には、１月から１２月までのフィルム状月別カレンダーをリング状にしてカレンダー本体とし、該カレンダー本体のリング状内側部に上方ローラーと下方ローラーを嵌挿するなどする回転式カレンダーが開示されている。しかしながら、特許文献１の回転式カレンダーは、構造が複雑であり、該回転式カレンダーを固定する方法は吸着手段に限られるため、固定できる場所が限られるという問題がある。
【先行技術文献】
【特許文献】
【０００４】
【特許文献１】特許第６５５０５５３号
【考案の概要】
【考案が解決しようとする課題】
【０００５】
本考案は、構造が単純で安価に製造でき、どんな場所にでも固定することができるカレンダー用紙取付具を提供する。さらに、該カレンダー用紙取付具にリング状のカレンダー用紙を取り付けることにより、月が変わっても張り直したりする手間がかからず、カレンダー用紙をワンタッチで順に送るだけで３か月分のカレンダーを見ることができる順送りカレンダーを提供する。
【課題を解決するための手段】
【０００６】
上記課題を解決する本考案は次の内容のものである。
【０００７】
本体杆とカレンダー用紙取付杆と壁面取付手段とを備えるカレンダー用紙取付具において、
該本体杆の一端部又は両端部は、該カレンダー用紙取付杆の係止手段または着脱手段を配設し、
該カレンダー用紙取付杆は、カレンダー用紙を係止する機能を備え、
該本体杆の一端が該係止手段または該着脱手段を備えない場合は、該本体杆における該係止手段または該着脱手段を備えない一端と該カレンダー用紙取付杆の一端とは回動自在に配設され、
該壁面取付手段は、該本体杆に配設され、該カレンダー用紙取付具を壁面に取り付けるための機能を備える。
【０００８】
前記本体杆及び前記カレンダー用紙取付杆は伸縮自在であって、
該本体杆は、第一筒状体と２本の支持杆とで構成され、
該第一筒状体は略直線状であり、
該２本の支持杆は、略Ｌ字型であり、
該各支持杆において、前記カレンダー用紙取付杆の係止手段又は着脱手段が配設されていない端部、又は該カレンダー用紙取付杆の一端が配設されていない端部は、該第一筒状体の両端にそれぞれ摺嵌され、
該カレンダー用紙取付杆は、第二筒状体と２本の伸縮用杆とで構成され、
該第二筒状体は略直線状であり、
該２本の伸縮用杆は略直線状であって、
該伸縮用杆の一方の端部は、該第二筒状体の両端にそれぞれ摺嵌される。
【０００９】
カレンダー用紙取付杆にカレンダー用紙が配設される順送りカレンダーにおいて、
該カレンダー用紙は、上半期カレンダー用紙と下半期カレンダー用紙とからなり、
該上半期カレンダー用紙は、１月から６月までの月別カレンダーが昇順に記載された長尺用紙の短辺同士を接着してリング状にしたものであって、
該下半期カレンダー用紙は、７月から１２月までの月別カレンダーが昇順に記載された長尺用紙の短辺同士を接着してリング状にしたものであって、
該下半期カレンダー用紙のリング径は、該上半期カレンダー用紙のリング径より僅かに小さく、
該上半期カレンダー用紙の内側に該下半期カレンダー用紙を重ねて配設する。
【考案の効果】
【００１０】
本考案のカレンダー用紙取付具は、構造が単純で安価に製造でき、どんな場所にでも固定することができる。そして、本考案の順送りカレンダーは、該カレンダー用紙取付具にリング状のカレンダー用紙を取り付けることにより、月が変わっても張り直したりする手間がかからず、カレンダー用紙をワンタッチで順に送るだけで３か月分のカレンダーを見ることができる。
【図面の簡単な説明】
【００１１】
【図１】本考案のカレンダー用紙取付具の一例を示す正面図である。
【図２】本考案のカレンダー用紙取付具であって、本体杆及びカレンダー用紙取付杆が伸びた状態の一例を示す正面図である。
【図３】本考案のカレンダー用紙取付具であって、本体杆及びカレンダー用紙取付杆が縮んだ状態の一例を示す正面図である。
【図４】本考案のカレンダー用紙取付具の係止手段の一例を示す右側面の端面図である。
【図５】本考案のカレンダー用紙取付具の図３におけるＡ−Ａ端面図である。
【図６】本考案のカレンダー用紙取付具において、本体杆の一端に係止手段を備えず、該カレンダー用紙取付杆の一端と該本体杆の一端とは回動自在に配設されている一例を示す正面図である。
【図７】本考案の順送りカレンダーに用いるリング状のカレンダー用紙の展開図の一例である。
【図８】本考案の順送りカレンダーに用いるリング状のカレンダー用紙の組み立て工程を示す一例である。
【図９】本考案の順送りカレンダーの一例を示す正面図である。
【図１０】本考案の順送りカレンダーのＢ−Ｂ拡大端面図である。
【図１１】本考案の順送りカレンダーの使用状態の一例を示す正面図である。
【考案を実施するための形態】
【００１２】
以下、本考案の実施の形態の例について図を参照しながら説明する。尚、本考案は、以下の形態の例に限定されるものではない。
【００１３】
本考案のカレンダー用紙取付具１は、本体杆５とカレンダー用紙取付杆７と壁面取付手段９とを備える。該本体杆５の一端部又は両端部には、該カレンダー用紙取付杆７の係止手段１１または着脱手段を配設する（図１、２、３、６参照）。係止手段１１の一例としては、該本体杆の端部を湾曲させてフック状にする（図４参照）。該着脱手段の一例としては、面ファスナー使用するなどする。
【００１４】
該カレンダー用紙取付杆７は、カレンダー用紙２５を係止する機能を備える。該カレンダー用紙取付杆７の垂直断面形状は、一例として、略円形、略楕円形とする。それにより、カレンダー用紙２５の順送りがスムーズになる。該本体杆５の一端が該係止手段１１または該着脱手段を備えない場合は、該本体杆５における該係止手段１１または該着脱手段を備えない一端と該カレンダー用紙取付杆７の一端とは回動自在に配設する。例えば、該本体杆５の端部と該カレンダー用紙取付杆７とを、ピン３１を挿通させることにより、回動自在に配設する（図６参照）。
【００１５】
該壁面取付手段９は、該本体杆５に配設され、該カレンダー用紙取付具１を壁面に取り付けるための機能を備え、一例として、フック状にし、壁に設置した係止金具当に係止する(図１参照)。他の例としては、リング状にし、画鋲を指すなどして固定する（図２、３、６参照）。
【００１６】
好ましくは、該本体杆５及び該カレンダー用紙取付杆７は伸縮自在とする。伸縮自在とすることにより、異なる幅のカレンダー用紙２５をカレンダー用紙取付杆７に係止することができるようになる（図２、３参照）
【００１７】
該本体杆５及び該カレンダー用紙取付杆７は伸縮自在とする手段は、一例として、該本体杆５を第一筒状体１３と２本の支持杆１５とで構成する。該第一筒状体１３は略直線状とし、該２本の支持杆１５は、略Ｌ字型とする。該各支持杆１５において、前記カレンダー用紙取付杆７の係止手段１１又は着脱手段が配設されていない端部２７、又は該カレンダー用紙取付杆の一端が配設されていない端部は、該第一筒状体１３の両端にそれぞれ摺嵌する。
【００１８】
該カレンダー用紙取付杆７は、第二筒状体１７と２本の伸縮用杆１９とで構成される。該第二筒状体１７は略直線状であり、該２本の伸縮用杆１９直線状であって、該伸縮用杆１９の一方の端部２９は、該第二筒状体１７の両端にそれぞれ摺嵌される
【００１９】
該支持杆１５、伸縮用杆１９を左右に摺動させることにより、該本体杆５及び該カレンダー用紙取付杆７は伸縮自在となる。
【００２０】
本考案のカレンダー用紙取付杆７にリング状のカレンダー用紙２５を配設することにより、本考案の順送りカレンダー３となる。
【００２１】
該カレンダー用紙２５は、上半期カレンダー用紙２１と下半期カレンダー用紙２３とからなる。該上半期カレンダー用紙２１は、１月から６月までの月別カレンダーが昇順に記載された長尺用紙２２を用いて作成する。該下半期カレンダー用紙２３は、７月から１２月までの月別カレンダーが昇順に記載された長尺用紙２４を用いて作成する（図７参照）。月別カレンダーは、月が変わると破棄することから、一例として、該長尺用紙２２、２４において該各月別カレンダーの境界戦をミシン目とする。
【００２２】
該上半期カレンダー用紙２１及び該下半期カレンダー用紙２３は、該長尺用紙２２、２４の短辺同士を接着してリング状にする。  該上半期カレンダー用紙２１の内側に該下半期カレンダー用紙２３を重ねて配設することにより、カレンダー用紙２５となる。好ましくは、該上半期カレンダー用紙２１の１月のカレンダーと該下半期カレンダー２３の７月のカレンダーが重なるようにする(図８参照)。
【００２３】
該下半期カレンダー用紙２３のリング径は、該上半期カレンダー用紙２１のリング径より僅かに小さくする。一例として、該下半期カレンダー用紙２３のリング径は、該上半期カレンダー用紙２１のリング径の約９５％〜９８％とし、好ましくは９８％とする。一例として、該下半期カレンダー用紙２３の作成に用いる長尺用紙２４の長辺の全長３７は、該上半期カレンダー用紙２１の作成に用いる長尺用紙２２の長辺の全長３５約９８％の長さとする（図７参照）。
【００２４】
該カレンダー用紙２５は、例えば、市販または無料配布されている月めくりカレンダーを用いて、簡単に作成することができるため、自分の気に入った絵や写真等のカレンダーを用いて作成する該カレンダー用紙２５を使用して１年間楽しむことができる。
【００２５】
本考案の順送りカレンダー３の使用方法を説明する。カレンダー用紙取付杆７の一端又は両端を該本体杆５から取り外し、該カレンダー用紙取付杆７をカレンダー用紙２５に挿通させる。該カレンダー用紙２５は、該上半期カレンダー用紙２１の内側に該下半期カレンダー用紙２３を重ねて配設したものであり、好ましくは、該上半期カレンダー用紙２１の１月のカレンダーと該下半期カレンダー２３の７月のカレンダーを重ねる。該カレンダー用紙取付杆７にカレンダー用紙２５係止させた後、該カレンダー用紙取付杆７を係止手段１１に係止する。該カレンダー用紙２５をセットした順送りカレンダー３は、壁面取付手段９により壁面等に取り付ける。年初は、カレンダーの１月が上、２月が中間、３月が下となるようにする（図９参照）。
【００２６】
該下半期カレンダー用紙２３のリング径は、該上半期カレンダー用紙２１のリング径より僅かに小さいため、該カレンダー用紙取付杆７に係止した際に、該上半期カレンダー用紙２１の下端と該下半期カレンダー用紙２３の下端との間には空間３９を有する（図１０参照）
【００２７】
１月が終わったら、該カレンダー用紙２５を後方に送る（図１０参照）。それにより、カレンダーの２月が上、３月が中間、４月が下となる。このように、月が変わるごとにカレンダー用紙２５を後方に順送りすることにより、ワンタッチで３月分のカレンダーを見ることができる。
【００２８】
４月が終わり、カレンダー用紙２５を後方に順送りすると、下のカレンダーは１月が表示されるため、上半期カレンダー用紙２１から１月のカレンダーを破くなどして破棄する。それにより、下半期カレンダー用紙２３の７月のカレンダーを見ることができるようになる(図１１参照)。この際、上半期カレンダー用紙２１はリング状の形状ではなく平面状となり、カレンダー用紙取付杆７から外れやすくなるため、クリップ、ステープラーなどで上半期カレンダー用紙２１と下半期カレンダー用紙２３とを簡易に止めておくのが好ましい。
【００２９】
５月が終わった場合、カレンダー用紙２５を後方に順送りすると、上半期カレンダー用紙２１の２月分が、下半期カレンダー用紙の下方から垂れ下がることとなるので、該２月分を切り取るなどする。６月が終わった場合、上半期カレンダー用紙２１は不要となるので、上半期カレンダー用紙２１を取り除く。その後、月が変わるたびに、下半期カレンダー用紙２３を後方に順送りすることにより、ワンタッチで３月分のカレンダーを見ることができる。  
【符号の説明】
【００３０】
１  カレンダー用紙取付具
３  順送りカレンダー
５  本体杆
７  カレンダー用紙取付杆
９  壁面取付手段
１１  係止手段
１３  第一筒状体
１５  支持杆
１７  第二筒状体
１９  伸縮用杆
２１  上半期カレンダー用紙
２２  長尺用紙
２３  下半期カレンダー用紙
２４  長尺用紙
２５  カレンダー用紙
２７  端部
２９  端部
３１  ピン
３３  ミシン目
３５  長さ
３７  長さ
３９  空間
【図１】
0003223686.tif 000003
【図２】
0003223686.tif 000004
【図３】
0003223686.tif 000005
【図４】
0003223686.tif 000006
【図５】
0003223686.tif 000007
【図６】
0003223686.tif 000008
【図７】
0003223686.tif 000009
【図８】
0003223686.tif 000010
【図９】
0003223686.tif 000011
【図１０】
0003223686.tif 000012
【図１１】
0003223686.tif 000013